(57)【要約】      （修正有）【課題】刃・駆動部一体型機器を保持するホルダーと固定用ベルトにて壁面などに取付け、安全な収納を可能としスペースの有効活用にも役立ち、管理も容易にする。【解決手段】（ａ）チェーンソー等の切断刃及び駆動部が一体化形成された刃・駆動部一体型機器Ａを壁面Ｗなどに対し垂直に固定するために、後ハンドルＢおよび後ハンドガードＣを収め保持するカップ状又は筒状の収納部３と、壁や柱などに取付けるための背面部２とを備えたホルダー１と、（ｂ）回転する鋭利な刃物を持つ切断刃部分を保護するための安全カバーＤを固定する帯状ベルト１３と、長さ調整ができ脱着が可能な調整固定具１１と、壁面固定用の留め金具１２とを有する固定用ベルト１０とを備えたことを特徴とする刃・駆動部一体型機器壁掛ホルダー。【選択図】図１
0003123300.tif 000002
【実用新案登録請求の範囲】
【請求項１】
（ａ）チェーンソー等の駆動回転する切断刃及び内燃機関、電動機等を動力とする駆動部が一体化形成された刃・駆動部一体型機器を壁などに対し垂直に固定するために、チェーンソー等の刃・駆動部一体型機器の後ハンドルおよび後ハンドガードを収め保持することを可能とするカップ状又は筒状の収納部と、壁や柱などに取付けるための背面部とを備えたホルダーと、（ｂ）チェーンソー等の刃・駆動部一体型機器をより安全に壁へ収納固定するために上記ホルダーに加え、回転する鋭利な刃物を持つ切断刃部分を保護するための安全カバーを固定する帯状ベルトと、前記ベルトの長さの調整ができ脱着が可能なマジックテープ、ワンタッチバックル等の調整固定具と、壁に取り付けるための取付け金具とを有する固定用ベルトとを備えたことを特徴とする壁掛ホルダー。
【考案の詳細な説明】
【技術分野】
【０００１】
本考案は、チェーンソーやヘッジトリマ、エンジンカッター等の切断刃及び駆動部が一体化形成された刃・駆動部一体型機器を壁面に収納可能とするホルダーと固定用ベルトを配した刃・駆動部一体型機器壁掛ホルダーに関するものである。
【背景技術】
【０００２】
チェーンソー等の刃・駆動部一体型機器は、木材等を切削、切断するための高速で回転する鋭利な刃物が取付けられており静止状態においても非常に危険な機器であるが、収納の手段としてはただ単に置くと言う方法に限られ保全およびスペースの有効利用がなされていない。
【考案の開示】
【考案が解決しようとする課題】
【０００３】
収納方法が限られるチェーンソー等の刃・駆動部一体型機器は、小型の機種でも相当のスペースを必要とし、狭い倉庫、物置など収納箇所の限られる場所においては床に置きつまずき怪我をする危険性、棚やテーブルに収納した際も場所を取るため色々な物と混在して置く場合がありそれらの物などが落下する危険性などありながら安全面に対しての配慮がなされていないのが現状である。
【０００４】
本考案は上記従来の課題を解決するもので、当該刃・駆動部一体型機器壁掛ホルダーは簡単に壁面へ取付けることが可能で、確実に収納固定することにより怪我をするなど前途安全性の問題、スペースの有効利用、管理の簡素化を含め解決することのできる刃・駆動部一体型機器壁掛ホルダーの提供を目的とする。
【課題を解決するための手段】
【０００５】
刃・駆動部一体型機器壁掛ホルダーは、上記目的を達成するために以下の構成を有している。
（ａ）チェーンソー等の駆動回転する切断刃及び内燃機関、電動機等を動力とする駆動部が一体化形成された刃・駆動部一体型機器を壁などに対し垂直に固定するために、チェーンソー等の刃・駆動部一体型機器の後ハンドルおよび後ハンドガードを収め保持することを可能とするカップ状又は筒状の収納部と、壁や柱などに取付けるための背面部とを備えたホルダーと、（ｂ）チェーンソー等の刃・駆動部一体型機器をより安全に壁へ収納固定するために上記ホルダーに加え、回転する鋭利な刃物を持つ切断刃部分を保護するための安全カバーを固定する帯状ベルトと、前記ベルトの長さの調整ができ脱着が可能なマジックテープ(登録商標)、ワンタッチバックル等の調整固定具と、壁に取り付けるための取付け金具とを有する固定用ベルトとを備えたことを特徴とする壁掛ホルダー。
【０００６】
ここで、図１の符号１のホルダーは、合成樹脂や皮革、ステンレス等の金属、合成ゴム等の素材が用いられる。図２の符号１３の帯状ベルトとしては、ナイロン、ポリエステル、皮革等で形成される。符号１１の調整固定具としては、容易に脱着が可能な構造を持ち長さの調整が可能な機能を有するマジックテープ(登録商標)や合成樹脂製のワンタッチバックルなどが用いられる。符号１２の留め金具は、すくなく共一端に孔部を有し、帯状ベルトに摺動自在又は固定し配設されている。
【考案の効果】
【０００７】
上述の様に、柱や壁面へ取付けた本考案の刃・駆動部一体型機器壁掛ホルダーにチェーンソーばかりで無く同形状の後ハンドルを持つ内燃機関、電動機等を動力とするヘッジトリマ、エンジンカッター等の機器類も柱や壁面へ垂直に保持することが可能となり、従来狭い倉庫、物置などの床に置いていたためにつまずき怪我をする、棚やテーブルから落下し怪我をするなどの危険性を回避し安全性の確保ができる。且つ、倉庫や物置などの棚や床、テーブルと限られた収納場所の空間を増やせる事により作業の円滑化、スペースの有効利用にも繋がり、台数を多く保有する事業所においては管理の簡素化も図れる。
【考案を実施するための最良の形態】
【０００８】
以上のように構成された請求項１の考案によれば以下の作用を有する。
後ハンドルを受けるホルダーは、ビスやフック等を使い壁面または柱などへ刃・駆動部一体型機器が容易に脱着可能な高さに固定する。鋭利な刃を持つ切断刃部分を収め保護するための安全カバーを留める固定用ベルトは取り外しが容易な位置となるよう壁面固定用の留め金具をビス等で壁面に固定する。固定用ベルトには容易に脱着可能であるワンタッチバックル、マジックテープ(登録商標)などの調整固定具を配す。
【実施例】
【０００９】
以下、添付図面に従って実施例を説明する。図１において符号１は、本考案である刃・駆動部一体型機器壁掛ホルダーの後ハンドルを保持するホルダーであり、耐久性のある合成樹脂や金属、合成ゴムなど適宣素材にて形成される。
図２において符号１０は、固定用ベルトであり、鋭利な刃を持つ切断刃部分を収め保護する安全カバーＤを固定するための帯状ベルト１３と、ワンタッチバックル、マジックテープ(登録商標)などの調整固定具１１を配し壁面固定用の留め金具１２を一体化させた物である。
【００１０】
前記後ハンドルを保持するホルダー１は刃・駆動部一体型機器が収納可能な壁面又は柱などに前ハンドルＥを持ち刃・駆動部一体型機器本体Ａを持ち上げ後ハンドルＢを容易に落し込め収納可能な高さで脱着が容易となる位置へ後ハンドルを保持するホルダーの背面部２を壁面Ｗにあてがいビス類でねじ回しなどを使い確実に固着させる。
【００１１】
前記固定用ベルト１０の取付け方法は、上述において壁面Ｗへ取付けた後ハンドルを保持するホルダー１へ駆動部一体型機器本体Ａの前ハンドルＥを持ち、後ハンドルを保持するホルダー１へ後ハンドルＢを仮に収め安全カバーＤを壁等に固定するための固定用ベルト１０が容易に脱着の操作が可能となる位置を確認し、仮に収めた駆動部一体型機器本体Ａの後ハンドルを保持するホルダー１より前ハンドルＥを持ち取り外し、壁面固定用の留め金具１２を取付けの確認をした位置へビス類でねじ回しなどを使い確実に固着させる。
【００１２】
図１は収納例であり収納方法としては、駆動部一体型機器本体Ａの前ハンドルＥ部分を持ち駆動部一体型機器本体の後ハンドルＢ及び後ハンドガードＣをホルダー１の収納部３へ収め、ホルダー底部４まで確実に差込む。安全カバーＤを固定用ベルト１０のワンタッチバックル、マジックテープ(登録商標)など長さの調整が可能な調整固定具１１にて固定可能で脱着容易な長さに調整し確実に固定収納する。
【産業上の利用可能性】
【００１３】
チェーンソー等の刃・駆動部一体型機器は、農業、林業、造園業、漁業、建築業、ログハウス作りなど様々な業種において利用されており、保管収納には前記で述べたように限られた場所となり保管場所に苦慮する場合があり安全面においても配慮がなされていないのが現状である。また、車両などに車載する際においても取付けることが可能でありより安全に運行運搬できる。
【図面の簡単な説明】
【００１４】
【図１】本考案の刃・駆動部一体型機器壁掛ホルダーにチェーンソー等の刃・駆動部一体型機器を収納した実施例の図である。
【図２】帯状ベルトに調整固定具と、壁面へ固定するための壁面固定用の留め金具を配した構成を示した側面図である。
【図３】本考案刃・駆動部一体型機器壁掛ホルダーの後ハンドルを保持するホルダーに後ハンドルを収めた拡大図である。
【図４】後ハンドルを保持するホルダーの左側壁面取付け用ビス穴位置を示した側面拡大図である。
【図５】後ハンドルを保持するホルダーの右側壁面取付け用ビス穴位置を示した側面拡大図である。
【符号の説明】
【００１５】
Ａ  刃・駆動部一体型機器本体
Ｂ  後ハンドル
Ｃ  後ハンドガード
Ｄ  安全カバー
Ｅ  前ハンドル
Ｗ  壁面
１  ホルダー
２  背面部
３  収納部
４  ホルダー底部
５  ホルダー取付け用ビス穴
６  ホルダー取付けビス用貫通穴
１０  固定用ベルト
１１  調整固定具
１１ａワンタッチバックル差込側
１１ｂワンタッチバックル受け側
１１ｃワンタッチバックル長さ調整部
１２  壁面固定用の留め金具
１２ａ壁面固定用の留め金具ビス孔
１３  帯状ベルト
１４  ワンタッチバックル側留め金具ベルト縫製部
１５  壁面固定用金具側留め金具ベルト縫製部
【図１】
0003123300.tif 000003
【図２】
0003123300.tif 000004
【図３】
0003123300.tif 000005
【図４】
0003123300.tif 000006
【図５】
0003123300.tif 000007
【手続補正書】
【提出日】平成18年5月2日(2006.5.2)
【手続補正１】
【補正対象書類名】実用新案登録請求の範囲
【補正対象項目名】全文
【補正方法】変更
【補正の内容】
【実用新案登録請求の範囲】
【請求項１】
（ａ）チェーンソー等の駆動回転する切断刃及び内燃機関、電動機等を動力とする駆動部が一体化形成された刃・駆動部一体型機器を壁などに対し垂直に固定するために、チェーンソー等の刃・駆動部一体型機器の後ハンドルおよび後ハンドガードを収め保持することを可能とするカップ状又は筒状の収納部と、壁や柱などに取付けるための背面部とを備えたホルダーと、（ｂ）チェーンソー等の刃・駆動部一体型機器をより安全に壁へ収納固定するために上記ホルダーに加え、回転する鋭利な刃物を持つ切断刃部分を保護するための安全カバーを固定する帯状ベルトと、前記ベルトの長さの調整ができ脱着が可能な面ファスナー、ワンタッチバックル等の調整固定具と、壁に取り付けるための取付け金具とを有する固定用ベルトとを備えたことを特徴とする壁掛ホルダー。
【手続補正２】
【補正対象書類名】明細書
【補正対象項目名】全文
【補正方法】変更
【補正の内容】
【考案の詳細な説明】
【技術分野】
【０００１】
本考案は、チェーンソーやヘッジトリマ、エンジンカッター等の切断刃及び駆動部が一体化形成された刃・駆動部一体型機器を壁面に収納可能とするホルダーと固定用ベルトを配した刃・駆動部一体型機器壁掛ホルダーに関するものである。
【背景技術】
【０００２】
チェーンソー等の刃・駆動部一体型機器は、木材等を切削、切断するための高速で回転する鋭利な刃物が取付けられており静止状態においても非常に危険な機器であるが、収納の手段としてはただ単に置くと言う方法に限られ保全およびスペースの有効利用がなされていない。
【考案の開示】
【考案が解決しようとする課題】
【０００３】
収納方法が限られるチェーンソー等の刃・駆動部一体型機器は、小型の機種でも相当のスペースを必要とし、狭い倉庫、物置など収納箇所の限られる場所においては床に置きつまずき怪我をする危険性、棚やテーブルに収納した際も場所を取るため色々な物と混在して置く場合がありそれらの物などが落下する危険性などありながら安全面に対しての配慮がなされていないのが現状である。
【０００４】
本考案は上記従来の課題を解決するもので、当該刃・駆動部一体型機器壁掛ホルダーは簡単に壁面へ取付けることが可能で、確実に収納固定することにより怪我をするなど前途安全性の問題、スペースの有効利用、管理の簡素化を含め解決することのできる刃・駆動部一体型機器壁掛ホルダーの提供を目的とする。
【課題を解決するための手段】
【０００５】
刃・駆動部一体型機器壁掛ホルダーは、上記目的を達成するために以下の構成を有している。
（ａ）チェーンソー等の駆動回転する切断刃及び内燃機関、電動機等を動力とする駆動部が一体化形成された刃・駆動部一体型機器を壁などに対し垂直に固定するために、チェーンソー等の刃・駆動部一体型機器の後ハンドルおよび後ハンドガードを収め保持することを可能とするカップ状又は筒状の収納部と、壁や柱などに取付けるための背面部とを備えたホルダーと、（ｂ）チェーンソー等の刃・駆動部一体型機器をより安全に壁へ収納固定するために上記ホルダーに加え、回転する鋭利な刃物を持つ切断刃部分を保護するための安全カバーを固定する帯状ベルトと、前記ベルトの長さの調整ができ脱着が可能な面ファスナー、ワンタッチバックル等の調整固定具と、壁に取り付けるための取付け金具とを有する固定用ベルトとを備えたことを特徴とする壁掛ホルダー。
【０００６】
ここで、図１の符号１のホルダーは、合成樹脂や皮革、ステンレス等の金属、合成ゴム等の素材が用いられる。図２の符号１３の帯状ベルトとしては、ナイロン、ポリエステル、皮革等で形成される。符号１１の調整固定具としては、容易に脱着が可能な構造を持ち長さの調整が可能な機能を有する面ファスナーや合成樹脂製のワンタッチバックルなどが用いられる。符号１２の留め金具は、すくなく共一端に孔部を有し、帯状ベルトに摺動自在又は固定し配設されている。
【考案の効果】
【０００７】
上述の様に、柱や壁面へ取付けた本考案の刃・駆動部一体型機器壁掛ホルダーにチェーンソーばかりで無く同形状の後ハンドルを持つ内燃機関、電動機等を動力とするヘッジトリマ、エンジンカッター等の機器類も柱や壁面へ垂直に保持することが可能となり、従来狭い倉庫、物置などの床に置いていたためにつまずき怪我をする、棚やテーブルから落下し怪我をするなどの危険性を回避し安全性の確保ができる。且つ、倉庫や物置などの棚や床、テーブルと限られた収納場所の空間を増やせる事により作業の円滑化、スペースの有効利用にも繋がり、台数を多く保有する事業所においては管理の簡素化も図れる。
【考案を実施するための最良の形態】
【０００８】
以上のように構成された請求項１の考案によれば以下の作用を有する。
後ハンドルを受けるホルダーは、ビスやフック等を使い壁面または柱などへ刃・駆動部一体型機器が容易に脱着可能な高さに固定する。鋭利な刃を持つ切断刃部分を収め保護するための安全カバーを留める固定用ベルトは取り外しが容易な位置となるよう壁面固定用の留め金具をビス等で壁面に固定する。固定用ベルトには容易に脱着可能であるワンタッチバックル、面ファスナーなどの調整固定具を配す。
【実施例】
【０００９】
以下、添付図面に従って実施例を説明する。図１において符号１は、本考案である刃・駆動部一体型機器壁掛ホルダーの後ハンドルを保持するホルダーであり、耐久性のある合成樹脂や金属、合成ゴムなど適宣素材にて形成される。
図２において符号１０は、固定用ベルトであり、鋭利な刃を持つ切断刃部分を収め保護する安全カバーＤを固定するための帯状ベルト１３と、ワンタッチバックル、面ファスナーなどの調整固定具１１を配し壁面固定用の留め金具１２を一体化させた物である。
【００１０】
前記後ハンドルを保持するホルダー１は刃・駆動部一体型機器が収納可能な壁面又は柱などに前ハンドルＥを持ち刃・駆動部一体型機器本体Ａを持ち上げ後ハンドルＢを容易に落し込め収納可能な高さで脱着が容易となる位置へ後ハンドルを保持するホルダーの背面部２を壁面Ｗにあてがいビス類でねじ回しなどを使い確実に固着させる。
【００１１】
前記固定用ベルト１０の取付け方法は、上述において壁面Ｗへ取付けた後ハンドルを保持するホルダー１へ駆動部一体型機器本体Ａの前ハンドルＥを持ち、後ハンドルを保持するホルダー１へ後ハンドルＢを仮に収め安全カバーＤを壁等に固定するための固定用ベルト１０が容易に脱着の操作が可能となる位置を確認し、仮に収めた駆動部一体型機器本体Ａの後ハンドルを保持するホルダー１より前ハンドルＥを持ち取り外し、壁面固定用の留め金具１２を取付けの確認をした位置へビス類でねじ回しなどを使い確実に固着させる。
【００１２】
図１は収納例であり収納方法としては、駆動部一体型機器本体Ａの前ハンドルＥ部分を持ち駆動部一体型機器本体の後ハンドルＢ及び後ハンドガードＣをホルダー１の収納部３へ収め、ホルダー底部４まで確実に差込む。安全カバーＤを固定用ベルト１０のワンタッチバックル、面ファスナーなど長さの調整が可能な調整固定具１１にて固定可能で脱着容易な長さに調整し確実に固定収納する。
【産業上の利用可能性】
【００１３】
チェーンソー等の刃・駆動部一体型機器は、農業、林業、造園業、漁業、建築業、ログハウス作りなど様々な業種において利用されており、保管収納には前記で述べたように限られた場所となり保管場所に苦慮する場合があり安全面においても配慮がなされていないのが現状である。また、車両などに車載する際においても取付けることが可能でありより安全に運行運搬できる。
【図面の簡単な説明】
【００１４】
【図１】本考案の刃・駆動部一体型機器壁掛ホルダーにチェーンソー等の刃・駆動部一体型機器を収納した実施例の図である。
【図２】帯状ベルトに調整固定具と、壁面へ固定するための壁面固定用の留め金具を配した構成を示した側面図である。
【図３】本考案刃・駆動部一体型機器壁掛ホルダーの後ハンドルを保持するホルダーに後ハンドルを収めた拡大図である。
【図４】後ハンドルを保持するホルダーの左側壁面取付け用ビス穴位置を示した側面拡大図である。
【図５】後ハンドルを保持するホルダーの右側壁面取付け用ビス穴位置を示した側面拡大図である。
【符号の説明】
【００１５】
Ａ  刃・駆動部一体型機器本体
Ｂ  後ハンドル
Ｃ  後ハンドガード
Ｄ  安全カバー
Ｅ  前ハンドル
Ｗ  壁面
１  ホルダー
２  背面部
３  収納部
４  ホルダー底部
５  ホルダー取付け用ビス穴
６  ホルダー取付けビス用貫通穴
１０  固定用ベルト
１１  調整固定具
１１ａワンタッチバックル差込側
１１ｂワンタッチバックル受け側
１１ｃワンタッチバックル長さ調整部
１２  壁面固定用の留め金具
１２ａ壁面固定用の留め金具ビス孔
１３  帯状ベルト
１４  ワンタッチバックル側留め金具ベルト縫製部
１５  壁面固定用金具側留め金具ベルト縫製部